(57)【特許請求の範囲】
【請求項１】
基地局によって、ダウンリンク参照信号に対応する論理ポート情報に対して直交符号化を実行し、前記直交符号化後に取得される前記論理ポート情報を送信用の対応する物理チャネルにマッピングするステップであって、前記直交符号化後に取得される前記論理ポート情報が、直交ビーム成分を含む、ステップと、
端末によってフィードバックされるチャネル品質インジケータ情報を受信し、波長分割多重化後に取得されるスペクトル効率ゲインを計算するステップであって、前記チャネル品質インジケータ情報が、前記直交ビーム成分を含む前記論理ポート情報を測定することにより前記端末によって取得される、ステップと、
前記スペクトル効率ゲインに従って、前記波長分割多重化の無線リソーススケジューリングを実行するステップと
を含むスケジューリング方法であって、
前記端末によってフィードバックされる前記チャネル品質インジケータ情報を受信し、前記波長分割多重化後に取得されるスペクトル効率ゲインを計算する前記ステップが、
前記基地局によって、前記チャネル品質インジケータ情報を受信し、前記チャネル品質インジケータ情報を、前記波長分割多重化前に取得される信号対干渉雑音比の線形値yに量子化するステップと、
マルチビーム受信レベルを取得するために、前記端末によって送信されるアップリンク参照信号またはサウンディング参照信号を受信して測定するステップであって、最高レベルを有するビームが、サービスビームであり、物理的に隣接するビームが、干渉ビームであり、サービスビームと干渉ビームとの間の干渉の程度が、ビーム分離であり、前記ビーム分離の線形値x＝サービスビームの受信レベル／干渉ビームの受信レベルである、ステップと、
以下の式に従って、前記波長分割後に取得される信号対干渉雑音比zを計算するステップと：
z＝（x＊y）／（y＋x＋1）、
前記波長分割多重化前に取得されるスペクトル効率および前記波長分割多重化後に取得されるスペクトル効率を取得するために信号対干渉雑音比とスペクトル効率との間のマッピングテーブルに従ってテーブルルックアップを実行するステップと、
前記スペクトル効率ゲインを取得するために前記波長分割多重化後に取得される前記スペクトル効率から前記波長分割多重化前に取得される前記スペクトル効率を差し引くステップと
を含む、
スケジューリング方法。
【請求項２】
前記基地局が、前記ダウンリンク参照信号に対応する前記論理ポート情報に対して前記直交符号化を実行し、前記直交符号化後に取得される前記論理ポート情報を前記送信用の対応する物理チャネルにマッピングし、直交符号化マッピングが、以下の方法で特に実行され、
【数１】
0006921974.tif 000095
ただし、Pnが、論理チャネルのポート番号を表し、n＝0，・・・，N−1であり、Nが、論理チャネルの数であり、Pmが、ビーム番号を表し、m＝0，・・・，M−1であり、
【数２】
0006921974.tif 000096
が、マッピング行列であり、前記マッピング行列のすべての行の要素によって形成されるベクトルが、対直交であり、前記マッピング行列の各行に含まれる非ゼロ要素が、前記行に対応する論理チャネルグループに含まれる論理チャネルに対応する重み付け係数である、
請求項1に記載の方法。
【請求項３】
マルチビームセクタにおいて、各ビームが、1つの物理チャネルに対応し、論理ポートの数が、複数のビームの数未満である場合、対の隣接ビームが、直交符号化を実行するために使用され、あるいは、論理ポートの数が、複数のビームの数以上である場合、対の隣接ビームが、直交符号化を実行するために使用されるか、またはマルチビーム結合直交符号化が実行される。請求項1に記載の方法。
【請求項４】
前記スペクトル効率ゲインが正の場合に、前記波長分割多重化の無線リソーススケジューリングが実行される、請求項1から3のいずれか一項に記載の方法。
【請求項５】
基地局であって、
予め設定された行列に従って、ダウンリンク参照信号に対応する論理ポート情報に対して直交符号化を実行し、前記直交符号化後に取得される前記論理ポート情報を送信用の対応する物理チャネルにマッピングし、前記直交符号化後に取得される前記論理ポート情報が、直交ビーム成分を含む、ように構成される処理ユニットと、
前記直交符号化後に取得される前記論理ポート情報を端末に送信するように構成される送信ユニットと、
前記端末によってフィードバックされるチャネル品質インジケータ情報を受信し、前記チャネル品質インジケータ情報が、前記直交ビーム成分を含む前記論理ポート情報を測定することにより前記端末によって取得される、ように構成される受信ユニットと
を備え、
前記処理ユニットが、波長分割多重化後に取得されるスペクトル効率ゲインを計算し、前記スペクトル効率ゲインに従って、前記波長分割多重化の無線リソーススケジューリングを実行するようにさらに構成される、
基地局であって、
前記処理ユニットが、
前記チャネル品質インジケータ情報を受信し、前記チャネル品質インジケータ情報を、前記波長分割多重化前に取得される信号対干渉雑音比の線形値yに量子化し、
マルチビーム受信レベルを取得するために、前記端末によって送信されるアップリンク参照信号またはサウンディング参照信号を受信して測定し、最高レベルを有するビームが、サービスビームであり、物理的に隣接するビームが、干渉ビームであり、サービスビームと干渉ビームとの間の干渉の程度が、ビーム分離であり、
前記ビーム分離の線形値x＝サービスビームの受信レベル／干渉ビームの受信レベル
であり、
以下の式に従って、前記波長分割後に取得される信号対干渉雑音比zを計算し：
z＝（x＊y）／（y＋x＋1）、
前記波長分割多重化前に取得されるスペクトル効率および前記波長分割多重化後に取得されるスペクトル効率を取得するために信号対干渉雑音比とスペクトル効率との間のマッピングテーブルに従ってテーブルルックアップを実行し、
前記スペクトル効率ゲインを取得するために前記波長分割多重化後に取得される前記スペクトル効率から前記波長分割多重化前に取得される前記スペクトル効率を差し引く
ように構成される、
基地局。
【請求項６】
前記処理ユニットが、以下の方法で直交符号化マッピングを実行し、
【数３】
0006921974.tif 000097
ただし、Pnが、論理チャネルのポート番号を表し、n＝0，・・・，N−1であり、Nが、論理チャネルの数であり、Pmが、ビーム番号を表し、m＝0，・・・，M−1であり、
【数４】
0006921974.tif 000098
が、マッピング行列であり、前記マッピング行列のすべての行の要素によって形成されるベクトルが、対直交であり、前記マッピング行列の各行に含まれる非ゼロ要素が、前記行に対応する論理チャネルグループに含まれる論理チャネルに対応する重み付け係数である、ように特に構成される、
請求項5に記載の基地局。
【請求項７】
マルチビームセクタにおいて、各ビームが、1つの物理チャネルに対応し、論理ポートの数が複数のビームの数未満である場合、前記処理ユニットが、直交符号化を実行するために対の隣接ビームを使用するように特に構成され、または論理ポートの数が複数のビームの数以上である場合、前記処理ユニットが特に、直交符号化を実行するために対の隣接ビームを使用するように構成されるか、もしくはマルチビーム結合直交符号化を実行するように構成される、
請求項5に記載の基地局。
【請求項８】
前記処理ユニットが、
前記スペクトル効率ゲインが正の場合に、前記波長分割多重化の無線リソーススケジューリングを実行する
ように特に構成される、請求項5から7のいずれか一項に記載の基地局。
【請求項９】
基地局であって、
プロセッサ、メモリ、トランシーバ、およびバスを備え、前記プロセッサ、前記メモリ、および前記トランシーバが、相互通信を遂行するために前記バスを使用して接続され、前記トランシーバが、信号を送信および受信するように構成され、前記メモリが、プログラムコードのセットを記憶するように構成され、前記プロセッサが、以下の動作、すなわち、
予め設定された行列に従って、ダウンリンク参照信号に対応する論理ポート情報に対して直交符号化を実行し、前記直交符号化後に取得される前記論理ポート情報を送信用の対応する物理チャネルにマッピングする動作であって、前記直交符号化後に取得される前記論理ポート情報が、直交ビーム成分を含む、動作と、
端末によってフィードバックされるチャネル品質インジケータ情報を受信し、波長分割多重化後に取得されるスペクトル効率ゲインを計算する動作であって、前記チャネル品質インジケータ情報が、前記直交ビーム成分を含む前記論理ポート情報を測定することにより前記端末によって取得される、動作と、
前記スペクトル効率ゲインに従って、前記波長分割多重化の無線リソーススケジューリングを実行する動作と
を実行するために、前記メモリに記憶された前記プログラムコードを呼び出すように構成される、
基地局であって、
前記プロセッサが、
前記チャネル品質インジケータ情報を受信し、前記チャネル品質インジケータ情報を、前記波長分割多重化前に取得される信号対干渉雑音比の線形値yに量子化し、
マルチビーム受信レベルを取得するために、前記端末によって送信されるアップリンク参照信号またはサウンディング参照信号を受信して測定し、最高レベルを有するビームが、サービスビームであり、物理的に隣接するビームが、干渉ビームであり、サービスビームと干渉ビームとの間の干渉の程度が、ビーム分離であり、
前記ビーム分離の線形値x＝サービスビームの受信レベル／干渉ビームの受信レベル
であり、
以下の式に従って、前記波長分割後に取得される信号対干渉雑音比zを計算し：
z＝（x＊y）／（y＋x＋1）、
前記波長分割多重化前に取得されるスペクトル効率および前記波長分割多重化後に取得されるスペクトル効率を取得するために信号対干渉雑音比とスペクトル効率との間のマッピングテーブルに従ってテーブルルックアップを実行し、
前記スペクトル効率ゲインを取得するために前記波長分割多重化後に取得される前記スペクトル効率から前記波長分割多重化前に取得される前記スペクトル効率を差し引く
ように特に構成される、基地局。
【請求項１０】
前記プロセッサが、以下の方法で直交符号化マッピングを実行し、
【数５】
0006921974.tif 000099
ただし、Pnが、論理チャネルのポート番号を表し、n＝0，・・・，N−1であり、Nが、論理チャネルの数であり、Pmが、ビーム番号を表し、m＝0，・・・，M−1であり、
【数６】
0006921974.tif 000100
が、マッピング行列であり、前記マッピング行列のすべての行の要素によって形成されるベクトルが、対直交であり、前記マッピング行列の各行に含まれる非ゼロ要素が、前記行に対応する論理チャネルグループに含まれる論理チャネルに対応する重み付け係数である、
ように特に構成される、請求項9に記載の基地局。
【請求項１１】
マルチビームセクタにおいて、各ビームが、1つの物理チャネルに対応し、論理ポートの数が複数のビームの数未満である場合、前記プロセッサが、直交符号化を実行するために対の隣接ビームを使用するように特に構成され、または論理ポートの数が複数のビームの数以上である場合、前記プロセッサが特に、直交符号化を実行するために対の隣接ビームを使用するように構成されるか、もしくはマルチビーム結合直交符号化を実行するように構成される、請求項9に記載の基地局。
【請求項１２】
前記スペクトル効率ゲインが正の場合に、前記波長分割多重化の無線リソーススケジューリングが実行される、請求項9から11のいずれか一項に記載の基地局。
【請求項１３】
デバイスであって、
少なくとも1つのプロセッサと、前記少なくとも1つのプロセッサに接続されたメモリ
を備え、前記少なくとも1つのプロセッサは、請求項1から4のうちのいずれか一項に記載の方法を実行するように構成される、
デバイス。
【請求項１４】
コンピュータ記憶媒体であって、
コンピュータプログラムが前記コンピュータ記憶媒体に記憶され、プログラムがプロセッサによって実行されると、請求項1から4のうちのいずれか一項に記載の方法が実行される、
コンピュータ記憶媒体。
【請求項１５】
プログラムであって、
プロセッサによって実行されると、請求項1から4のうちのいずれか一項に記載の方法が実行される、
プログラム。
【発明の詳細な説明】
【技術分野】
【０００１】
本発明は、通信技術の分野に関し、具体的には、スケジューリング方法、基地局、および端末に関する。
【背景技術】
【０００２】
通信技術および波長分割多重化技術の継続的な発展により、既存の無線ネットワークリソースの効率的な利用が実施され得る。しかしながら、多くのユーザ端末がセルにアクセスするため、オペレータは、基地局が多くのユーザ端末に高品質のサービスを提供し得ることを望んでいる。無線マクロ基地局ネットワークの場合、セルラーネットワーク構造の古典的な基本ユニットとして、標準的な単一サイト指向性3セクタが、最適なネットワークカバレッジトポロジを達成するためにラップされ得る。最適なカバレッジに従って最適化されたセル指向性カバレッジビームは、3dBのゲインを有するメインローブの幅が約65度であることを必要とする。このようなパターンは、端末がセルのほとんどの位置で最適なブロードキャストレベルの配信を受信し得ることを保証し得る。しかしながら、同時に、セルの任意の位置にある端末は、ブロードキャストビームのみのゲインを取得することができ、端末の要求を最もよく満たすゲインを取得することはできない。例えば、エッジにある一部の端末に対して、端末に送信される有効な情報は、セル全体にブロードキャストされる。端末はエッジに位置するため、受信される情報の電力は比較的低く、情報は、役に立たないか、または別の端末への干渉にさえなり得る。
【０００３】
この問題に基づいて、マルチアンテナシステムでは、ブロードキャストビームの適応および低ゲインを考慮して、従来技術では、分化カバレッジを提供するために複数のビームを使用するための方法が提案されている。しかしながら、一般的に、単一セクタに対して波長分割が実行される場合、ビーム間の漏れが参照信号を使用して評価され得ないことから、通常の波長分割がブロードキャスト参照信号に対して実行され得ないという問題がある。カバレッジを確保するために、参照信号に関して、各ビームは、成分を有さなければならず、すべての成分は整合する。各ポートのブロードキャストビームは、複数のビームを使用して適合される。参照信号の測定に関して、独立したビームは、測定プロセスにおいて識別され得ない。したがって、端末が参照信号を受信するとき、参照信号のみが識別され得、参照信号の特定の成分は識別され得ず、各ビームの成分寄与は推定され得ず、このため、波長分割多重化のために無線リソーススケジューリングを実行することは困難である。
【発明の概要】
【課題を解決するための手段】
【０００４】
技術的な問題を解決するために、本発明の実施形態は、基地局が、波長分割多重化の無線リソーススケジューリングを実施するために、複数のビームを使用して同じセルがカバーされるときにビームを識別し、ビーム成分を測定し得るように、スケジューリング方法、基地局、および端末を提供する。
【０００５】
第1の態様によれば、本発明の実施形態は、スケジューリング方法であって、
基地局によって、予め設定された行列に従って、ダウンリンク参照信号に対応する論理ポート情報に対して直交符号化を実行し、直交符号化後に取得される論理ポート情報を送信用の対応する物理チャネルにマッピングするステップであって、直交符号化後に取得される論理ポート情報が、直交ビーム成分を含む、ステップと、
端末によってフィードバックされるチャネル品質インジケータ情報を受信し、波長分割多重化後に取得されるスペクトル効率ゲインを計算するステップであって、チャネル品質インジケータ情報が、直交ビーム成分を含む論理ポート情報を測定することにより端末によって取得される、ステップと、
スペクトル効率ゲインに従って、波長分割多重化の無線リソーススケジューリングを実行するステップと
を含むスケジューリング方法を提供する。
【０００６】
直交符号化処理は、複数のビームを使用して参照信号に対して実行され、参照信号は、送信用の対応する物理チャネルにマッピングされ、これにより、エアインタフェースを使用して端末によって受信される情報は、直交ビーム成分を含む。基地局は、端末によってフィードバックされる結果およびチャネル相反性に従ってアップリンクマルチビーム受信レベル、すなわち参照信号受信電力を測定し得る。次に、複数のビーム間の干渉が推定され、波長分割多重化後に取得される信号対干渉雑音比およびスペクトル効率ゲインが計算され、波長分割多重化の無線リソーススケジューリングが、補正された結果を使用して実行される。したがって、ブロードキャスト参照信号に基づく多入力多出力多重化が実施され、これにより、ワイヤレス通信システムの容量が大幅に改善され、高品質のサービスが、より多くの端末に提供され得る。
【０００７】
可能な実施態様では、基地局は、予め設定された行列に従って、ダウンリンク参照信号に対応する論理ポート情報に対して直交符号化を実行し、直交符号化後に取得される論理ポート情報を送信用の対応する物理チャネルにマッピングし、直交符号化マッピングは、以下の方法で特に実行され、
【０００８】
【数１】
0006921974.tif 000002
【０００９】
ただし、Pnは、論理チャネルのポート番号を表し、n＝0，・・・，N−1であり、Nは、論理チャネルの数であり、Pmは、ビーム番号を表し、m＝0，・・・，M−1であり、
【００１０】
【数２】
0006921974.tif 000003
【００１１】
は、マッピング行列であり、マッピング行列のすべての行の要素によって形成されるベクトルは、対直交であり、マッピング行列の各行に含まれる非ゼロ要素は、行に対応する論理チャネルグループに含まれる論理チャネルに対応する重み付け係数である。
【００１２】
前述の式を使用して、直交符号化前処理が、複数のビームに基づいて参照信号に対して実行される。端末フィードバックと、相反性に基づくマルチビーム測定の決定および補正とを参照して、ブロードキャスト参照信号に基づくMIMO多重化が実施され、これにより、マルチアンテナシステムの容量が大幅に改善され得、具体的には、現在制限されているブロードキャスト制御チャネルの状況が大幅に改善される。
【００１３】
可能な実施態様では、マルチビームセクタにおいて、各ビームは、1つの物理チャネルに対応し、論理ポートの数が、複数のビームの数未満である場合、対の隣接ビームが、直交符号化を実行するために使用され、あるいは、論理ポートの数が、複数のビームの数以上である場合、対の隣接ビームが、直交符号化を実行するために使用されるか、またはマルチビーム結合直交符号化が実行される。
【００１４】
様々な状況において、様々な直交符号化方法が選択され、これにより、最適な符号化効果が得られ得、その結果、制限されているブロードキャスト制御チャネルの状況が改善される。
【００１５】
可能な実施態様では、端末によってフィードバックされるチャネル品質インジケータ情報を受信し、波長分割多重化後に取得されるスペクトル効率ゲインを計算するステップは、
基地局によって、チャネル品質インジケータ情報を受信し、チャネル品質インジケータ情報を、波長分割多重化前に取得される信号対干渉雑音比の線形値yに量子化するステップと、
マルチビーム受信レベルを取得するために、端末によって送信されるアップリンク参照信号またはサウンディング参照信号を受信して測定するステップであって、最高レベルを有するビームが、サービスビームであり、物理的に隣接するビームが、干渉ビームであり、サービスビームと干渉ビームとの間の干渉の程度が、ビーム分離であり、ビーム分離の線形値x＝サービスビームの受信レベル／干渉ビームの受信レベルである、ステップと、
以下の式に従って、波長分割後に取得される信号対干渉雑音比zを計算するステップと：
z＝（x＊y）／（y＋x＋1）、
波長分割多重化前に取得されるスペクトル効率および波長分割多重化後に取得されるスペクトル効率を取得するために信号対干渉雑音比とスペクトル効率との間のマッピングテーブルに従ってテーブルルックアップを実行するステップと、
スペクトル効率ゲインを取得するために波長分割多重化後に取得されるスペクトル効率から波長分割多重化前に取得されるスペクトル効率を差し引くステップと
を含む。
【００１６】
可能な実施態様では、スペクトル効率ゲインが正の場合、波長分割多重化の無線リソーススケジューリングが実行される。
【００１７】
第2の態様によれば、本発明の実施形態は、基地局であって、
予め設定された行列に従って、ダウンリンク参照信号に対応する論理ポート情報に対して直交符号化を実行し、直交符号化後に取得される論理ポート情報を送信用の対応する物理チャネルにマッピングし、直交符号化後に取得される論理ポート情報が、直交ビーム成分を含む、ように構成される処理ユニットと、
直交符号化後に取得される論理ポート情報を端末に送信するように構成される送信ユニットと、
端末によってフィードバックされるチャネル品質インジケータ情報を受信し、チャネル品質インジケータ情報が、直交ビーム成分を含む論理ポート情報を測定することにより端末によって取得される、ように構成される受信ユニットと
を含み、
処理ユニットが、波長分割多重化後に取得されるスペクトル効率ゲインを計算し、スペクトル効率ゲインに従って、波長分割多重化の無線リソーススケジューリングを実行するようにさらに構成される、
基地局を提供する。
【００１８】
可能な実施態様では、処理ユニットは、以下の方法で直交符号化マッピングを実行し、
【００１９】
【数３】
0006921974.tif 000004
【００２０】
ただし、Pnは、論理チャネルのポート番号を表し、n＝0，・・・，N−1であり、Nは、論理チャネルの数であり、Pmは、ビーム番号を表し、m＝0，・・・，M−1であり、
【００２１】
【数４】
0006921974.tif 000005
【００２２】
は、マッピング行列であり、マッピング行列のすべての行の要素によって形成されるベクトルは、対直交であり、マッピング行列の各行に含まれる非ゼロ要素は、行に対応する論理チャネルグループに含まれる論理チャネルに対応する重み付け係数である、
ように特に構成される。
【００２３】
可能な実施態様では、マルチビームセクタにおいて、各ビームは、1つの物理チャネルに対応し、論理ポートの数が複数のビームの数未満である場合、符号化ユニットは、直交符号化を実行するために対の隣接ビームを使用するように特に構成され、または論理ポートの数が複数のビームの数以上である場合、符号化ユニットは特に、直交符号化を実行するために対の隣接ビームを使用するように構成されるか、もしくはマルチビーム結合直交符号化を実行するように構成される。
【００２４】
可能な実施態様では、処理ユニットは、
チャネル品質インジケータ情報を受信し、チャネル品質インジケータ情報を、波長分割多重化前に取得される信号対干渉雑音比の線形値yに量子化し、
マルチビーム受信レベルを取得するために、端末によって送信されるアップリンク参照信号またはサウンディング参照信号を受信して測定し、最高レベルを有するビームが、サービスビームであり、物理的に隣接するビームが、干渉ビームであり、サービスビームと干渉ビームとの間の干渉の程度が、ビーム分離であり、ビーム分離の線形値x＝サービスビームの受信レベル／干渉ビームの受信レベルであり、
以下の式に従って、波長分割後に取得される信号対干渉雑音比zを計算し：
z＝（x＊y）／（y＋x＋1）、
波長分割多重化前に取得されるスペクトル効率および波長分割多重化後に取得されるスペクトル効率を取得するために信号対干渉雑音比とスペクトル効率との間のマッピングテーブルに従ってテーブルルックアップを実行し、
スペクトル効率ゲインを取得するために波長分割多重化後に取得されるスペクトル効率から波長分割多重化前に取得されるスペクトル効率を差し引く
ように特に構成される。
【００２５】
可能な実施態様では、処理ユニットは、
スペクトル効率ゲインが正の場合に、波長分割多重化の無線リソーススケジューリングを実行する
ように特に構成される。
【００２６】
第3の態様によれば、本発明の実施形態は、基地局であって、
プロセッサ、メモリ、トランシーバ、およびバスを含み、プロセッサ、メモリ、およびトランシーバが、相互通信を遂行するためにバスを使用して接続され、トランシーバが、信号を送信および受信するように構成され、メモリが、プログラムコードのセットを記憶するように構成され、プロセッサが、以下の動作、すなわち、
予め設定された行列に従って、ダウンリンク参照信号に対応する論理ポート情報に対して直交符号化を実行し、直交符号化後に取得される論理ポート情報を送信用の対応する物理チャネルにマッピングする動作であって、直交符号化後に取得される論理ポート情報が、直交ビーム成分を含む、動作と、
端末によってフィードバックされるチャネル品質インジケータ情報を受信し、波長分割多重化後に取得されるスペクトル効率ゲインを計算する動作であって、チャネル品質インジケータ情報が、直交ビーム成分を含む論理ポート情報を測定することにより端末によって取得される、動作と、
スペクトル効率ゲインに従って、波長分割多重化の無線リソーススケジューリングを実行する動作と
を実行するために、メモリに記憶されたプログラムコードを呼び出すように構成される、
基地局を提供する。
【００２７】
可能な実施態様では、プロセッサは、以下の方法で直交符号化マッピングを実行し、
【００２８】
【数５】
0006921974.tif 000006
【００２９】
ただし、Pnは、論理チャネルのポート番号を表し、n＝0，・・・，N−1であり、Nは、論理チャネルの数であり、Pmは、ビーム番号を表し、m＝0，・・・，M−1であり、
【００３０】
【数６】
0006921974.tif 000007
【００３１】
は、マッピング行列であり、マッピング行列のすべての行の要素によって形成されるベクトルは、対直交であり、マッピング行列の各行に含まれる非ゼロ要素は、行に対応する論理チャネルグループに含まれる論理チャネルに対応する重み付け係数である、
ように特に構成される。
【００３２】
可能な実施態様では、マルチビームセクタにおいて、各ビームは、1つの物理チャネルに対応し、論理ポートの数が複数のビームの数未満である場合、プロセッサは、直交符号化を実行するために対の隣接ビームを使用するように特に構成され、または論理ポートの数が複数のビームの数以上である場合、プロセッサは特に、直交符号化を実行するために対の隣接ビームを使用するように構成されるか、もしくはマルチビーム結合直交符号化を実行するように構成される。
【００３３】
可能な実施態様では、プロセッサは、
チャネル品質インジケータ情報を受信し、チャネル品質インジケータ情報を、波長分割多重化前に取得される信号対干渉雑音比の線形値yに量子化し、
マルチビーム受信レベルを取得するために、端末によって送信されるアップリンク参照信号またはサウンディング参照信号を受信して測定し、最高レベルを有するビームが、サービスビームであり、物理的に隣接するビームが、干渉ビームであり、サービスビームと干渉ビームとの間の干渉の程度が、ビーム分離であり、ビーム分離の線形値x＝サービスビームの受信レベル／干渉ビームの受信レベルであり、
以下の式に従って、波長分割後に取得される信号対干渉雑音比zを計算し：
z＝（x＊y）／（y＋x＋1）、
波長分割多重化前に取得されるスペクトル効率および波長分割多重化後に取得されるスペクトル効率を取得するために信号対干渉雑音比とスペクトル効率との間のマッピングテーブルに従ってテーブルルックアップを実行し、
スペクトル効率ゲインを取得するために波長分割多重化後に取得されるスペクトル効率から波長分割多重化前に取得されるスペクトル効率を差し引く
ように特に構成される。
【００３４】
可能な実施態様では、スペクトル効率ゲインが正の場合、波長分割多重化の無線リソーススケジューリングが実行される。
【００３５】
第4の態様によれば、本発明の実施形態は、コンピュータ記憶媒体を提供し、コンピュータ記憶媒体は、本発明の実施形態の第1の態様の任意の実施態様による方法を実行するために使用されるプログラムコードのセットを含む。
【００３６】
第5の態様によれば、本発明の実施形態は、スケジューリング方法であって、
基地局によって送信される論理ポート情報を端末によって受信するステップであって、直交符号化が、基地局によって、ダウンリンク参照信号に対応する論理ポート情報に対して実行され、直交符号化後に取得される論理ポート情報が、対応する物理チャネルにマッピングされて端末に送信され、論理ポート情報が、直交ビーム成分を含む、ステップと、
論理ポート情報を測定し、計算によってチャネル品質インジケータ情報を取得するステップと、
チャネル品質インジケータ情報を基地局にフィードバックするステップと
を含むスケジューリング方法を提供する。
【００３７】
第6の態様によれば、本発明の実施形態は、端末であって、
基地局によって送信される論理ポート情報を受信し、直交符号化が、基地局によって、ダウンリンク参照信号に対応する論理ポート情報に対して実行され、直交符号化後に取得される論理ポート情報が、対応する物理チャネルにマッピングされて端末に送信され、論理ポート情報が、直交ビーム成分を含む、ように構成される受信ユニットと、
論理ポート情報を測定し、計算によってチャネル品質インジケータ情報を取得するように構成される処理ユニットと、
チャネル品質インジケータ情報を基地局にフィードバックするように構成される送信ユニットと
を含む端末を提供する。
【００３８】
第7の態様によれば、本発明の実施形態は、端末であって、
プロセッサ、メモリ、トランシーバ、およびバスを含み、プロセッサ、メモリ、およびトランシーバが、相互通信を遂行するためにバスを使用して接続され、トランシーバが、信号を送信および受信するように構成され、メモリが、プログラムコードのセットを記憶するように構成され、プロセッサが、以下の動作、すなわち、
基地局によって送信される論理ポート情報を受信する動作であって、直交符号化が、基地局によって、ダウンリンク参照信号に対応する論理ポート情報に対して実行され、直交符号化後に取得される論理ポート情報が、対応する物理チャネルにマッピングされて端末に送信され、論理ポート情報が、直交ビーム成分を含む、動作と、
論理ポート情報を測定し、計算によってチャネル品質インジケータ情報を取得する動作と、
チャネル品質インジケータ情報を基地局にフィードバックする動作と
を実行するために、メモリに記憶されたプログラムコードを呼び出すように構成される、
端末を提供する。
【００３９】
第8の態様によれば、本発明の実施形態は、コンピュータ記憶媒体を提供し、コンピュータ記憶媒体は、本発明の実施形態の第5の態様の任意の実施態様による方法を実行するために使用されるプログラムコードのセットを含む。
【００４０】
本発明の実施形態または従来技術における技術的解決策をより明確に説明するために、以下、実施形態を説明するために必要とされる添付図面について簡単に説明する。明らかに、以下の説明の添付図面は、本発明の一部の実施形態を示しているに過ぎず、当業者は、創造的な努力なしにこれらの添付図面から他の図面をさらに得ることができる。
【図面の簡単な説明】
【００４１】
【図１】本発明によるスケジューリング方法の実施形態の概略フローチャートである。
【図２】本発明による別のスケジューリング方法の実施形態の概略フローチャートである。
【図３】本発明による基地局の実施形態の構成の概略図である。
【図４】本発明による別の基地局の実施形態の構成の概略図である。
【図５】本発明によるさらに別のスケジューリング方法の実施形態の概略フローチャートである。
【図６】本発明による端末の実施形態の構成の概略図である。
【図７】本発明による別の端末の実施形態の構成の概略図である。
【発明を実施するための形態】
【００４２】
以下、本発明の実施形態の添付図面を参照して、本発明の実施形態の技術的解決策を説明する。
【００４３】
本発明の明細書、特許請求の範囲、および添付図面において、用語「含む（include）」、「含む（contain）」、および任意の他の変種は、非排他的包含に該当するものである。例えば、一連のステップまたはユニットを含むプロセス、方法、システム、製品、またはデバイスは、列挙されているステップまたはユニットに限定されず、任意選択で、列挙されていないステップまたはユニットをさらに含むか、または任意選択で、プロセス、方法、製品、またはデバイスの別の固有のステップまたはユニットをさらに含む。
【００４４】
本発明の実施形態の特定の適用シナリオでは、基地局および少なくとも1つの端末が含まれ得る。基地局は、端末の無線ネットワークアクセス、データ送信、および空間無線リソース管理などを担当する。基地局は、複数のアンテナを有し、端末と通信するために、複数のビームを使用して信号を送信および受信し得る。
【００４５】
本発明の実施形態における端末は、ユーザ機器（User Equipment、UE）と呼ばれる場合もあり、説明を簡単にするために以下では端末と呼ばれる。端末は、スマートフォン（Android、iOS、またはWindows Phoneなどのオペレーティングシステム上で動作する電話）、タブレットコンピュータ、パームトップコンピュータ、ノートブックコンピュータ、モバイルインターネットデバイス（Mobile Internet Devices、MID）、またはウェアラブルデバイスなどを含み得る。前述の端末は、網羅的なものではなく単なる例であり、本発明の実施形態における端末は、前述の端末を含むが、これに限定されない。これは、本発明の実施形態では限定されない。
【００４６】
本発明では、基地局が複数のビームを使用して参照信号をブロードキャストするときに送信されるコンテンツが改善される。特定の結合（例えば、直交符号化）処理が、複数の参照信号に対して実行され、送信用の対応するビームにマッピングされる。したがって、端末がエアインタフェースを使用して複数の参照信号を受信するとき、情報は、複数のビームの成分を含み、異なる位置に分散している端末は、参照信号の異なるビーム成分を受信する。端末によってフィードバックされる結果および信号に従って、基地局は、複数のビーム間の干渉を推定し、波長分割後に取得される信号対干渉雑音比（Signal to Interference plus Noise Ratio、SINR）およびスペクトル効率ゲインを計算し、補正された結果を使用して、波長分割多重化の無線リソーススケジューリングを実行し得る。本発明のスケジューリング方法は、特定の実施形態を参照して以下で詳細に説明される。
【００４７】
図1を参照すると、図1は、本発明によるスケジューリング方法の実施形態の概略フローチャートである。この実施形態において、この方法は、以下のステップを含む。
【００４８】
S101．基地局は、ダウンリンク参照信号に対応する論理ポート情報に対して直交符号化を実行し、直交符号化後に取得される論理ポート情報を送信用の対応する物理チャネルにマッピングする。
【００４９】
直交符号化は、典型的な符号化方式であり、優れた対雑音性能を有し、このため、パルスエッジ発振に起因する干渉が効果的に除去され得、レートテスト時に精度が効果的に改善され得る。マルチビームセクタにおいて、複数のビームは、複数の物理チャネルと1対1に対応する。参照信号（Reference Signal、RS）に関して、参照信号は、エアインタフェースによってサウンディングされ得る論理ポートを示し、論理ポート情報に含まれ得る。ダウンリンク参照信号は、（1）ダウンリンクチャネル品質測定、（2）UE側のコヒーレント検出および復調に使用されるダウンリンクチャネル推定、ならびに（3）セル検索に使用され得る。直交符号化によって、論理チャネル情報は、送信用の対応するビームにマッピングされ得る。したがって、直交符号化後に取得される各ダウンリンク参照信号は、複数のビームの直交成分を含み、このため、端末によって測定され、基地局にフィードバックされるチャネル関連データも、ビーム成分を含む。最後に、基地局は、フィードバックデータに従って、複数のビーム間の干渉を推定し、波長分割後に取得されるSINRおよびスペクトル効率ゲインを計算し得る。
【００５０】
任意選択で、直交符号化マッピングは、以下の方法で実行され得る。
【００５１】
【数７】
0006921974.tif 000008
【００５２】
ただし、Pnは、論理チャネルのポート番号を表し、n＝0，・・・，N−1であり、Nは、論理チャネルの数であり、Pmは、ビーム番号を表し、m＝0，・・・，M−1であり、
【００５３】
【数８】
0006921974.tif 000009
【００５４】
は、マッピング行列であり、マッピング行列のすべての行の要素によって形成されるベクトルは、対直交であり、マッピング行列の各行に含まれる非ゼロ要素は、行に対応する論理チャネルグループに含まれる論理チャネルに対応する重み付け係数である。
【００５５】
さらに、直交符号化時、論理ポートの数が、複数のビームの数未満である場合、対の隣接ビームが、直交符号化を実行するために使用され、あるいは、論理ポートの数が、複数のビームの数以上である場合、対の隣接ビームが、直交符号化を実行するために使用されるか、またはマルチビーム結合直交符号化が実行される。
【００５６】
S102．端末によってフィードバックされたチャネル品質インジケータ（Channel Quality Indicator、CQI）情報を受信し、波長分割多重化後に取得されるスペクトル効率ゲインを計算する。
【００５７】
チャネル品質インジケータ情報は、直交ビーム成分を含む論理ポート情報を測定することにより端末によって取得される。
【００５８】
任意選択で、計算時、波長分割後に取得される信号対干渉雑音比は、端末によってフィードバックされるチャネル品質インジケータ情報と、複数のビーム間の干渉とに従って計算されてもよく、その場合、複数のビーム間の干渉は、受信されるアップリンク参照信号またはサウンディング参照信号（Sounding Reference Signal、SRS）を測定および推定することにより基地局によって取得され、次に、波長分割多重化前に取得されるスペクトル効率および波長分割多重化後に取得されるスペクトル効率が、テーブルルックアップなどの方法で求められ、さらに、スペクトル効率ゲインは、計算によって取得される。
【００５９】
S103．スペクトル効率ゲインに従って、波長分割多重化の無線リソーススケジューリングを実行する。
【００６０】
スケジューリング時に、同じ時間／周波数領域リソースが、異なる端末に多重化されてもよい。
【００６１】
任意選択で、スペクトル効率ゲインが正の場合、波長分割多重化の無線リソーススケジューリングが実行され、または、スペクトル効率ゲインが負の場合、波長分割多重化の無線リソーススケジューリングは実行されなくてもよく、または、スペクトル効率ゲインが0の場合、波長分割多重化の無線リソーススケジューリングは実行されもよいし、あるいは実行されなくてもよい。これは、本発明のこの実施形態では限定されない。
【００６２】
この実施形態では、直交符号化処理が、複数のビームを使用して参照信号に対して実行され、送信用の対応する物理チャネルにマッピングされ、これにより、エアインタフェースを使用して端末によって受信される情報は、直交ビーム成分を含む。基地局は、端末によってフィードバックされる結果およびチャネル相反性に従ってアップリンクマルチビーム受信レベル、すなわち参照信号受信電力（Reference Signal Receiving Power、RSRP）を測定し得る。次に、複数のビーム間の干渉が推定され、波長分割後に取得される信号対干渉雑音比（Signal to Interference plus Noise Ratio、SINR）およびスペクトル効率ゲインが計算され、波長分割多重化の無線リソーススケジューリングが、補正された結果を使用して実行される。したがって、ブロードキャスト参照信号に基づく多入力多出力（Multiple−Input Multiple−Out−put、MIMO）多重化が実施され、これにより、ワイヤレス通信システムの容量が大幅に改善され、高品質のサービスが、より多くの端末に提供され得る。
【００６３】
図2を参照すると、図2は、本発明による別のスケジューリング方法の実施形態の概略フローチャートである。この実施形態において、この方法は、以下のステップを含む。
【００６４】
S201．基地局は、予め設定された行列に従って、ダウンリンク参照信号に対応する論理ポート情報に対して直交符号化を実行する。
【００６５】
S202．基地局は、直交符号化後に取得された論理ポート情報がマッピングされた決定された物理チャネルを使用して、直交符号化後に取得された論理ポート情報を送信する。
【００６６】
S203．端末は、論理ポート情報を受信し、波長分割多重化前のSINRを取得するために論理ポート情報を測定し、SINRをCQIに量子化する。
【００６７】
S204．端末は、CQIおよびアップリンク参照信号またはサウンディング参照信号を送信する。
【００６８】
S205．端末によってフィードバックされたCQIおよび信号に従って、波長分割後に取得されるSINRおよびスペクトル効率ゲインを計算する。
【００６９】
具体的には、波長分割多重化後に取得される信号対干渉雑音比が計算され、スペクトル効率ゲインが求められるとき、基地局は、チャネル品質インジケータ情報を受信し、チャネル品質インジケータ情報を、波長分割前に取得される信号対干渉雑音比の線形値yに量子化する。
【００７０】
端末によって送信されるアップリンク参照信号またはサウンディング参照信号（Sounding Reference Signal、SRS）は、マルチビーム受信レベルを取得するために受信され測定される。最高レベルを有するビームは、サービスビームであり、物理的に隣接するビームは、干渉ビームであり、サービスビームと干渉ビームとの間の干渉の程度は、ビーム分離であり、ビーム分離の線形値x＝サービスビームの受信レベル／干渉ビームの受信レベルである。
【００７１】
波長分割後に取得される信号対干渉雑音比zは、以下の式に従って計算される：
z＝（x＊y）／（y＋x＋1）。
【００７２】
テーブルルックアップは、波長分割前に取得されるスペクトル効率および波長分割後に取得されるスペクトル効率を取得するために信号対干渉雑音比とスペクトル効率との間のマッピングテーブルに従って実行される。
【００７３】
波長分割前に取得されるスペクトル効率は、スペクトル効率ゲインを取得するために、波長分割後に取得されるスペクトル効率から差し引かれる。
【００７４】
SINRおよびスペクトル効率は、シャノンの式に従って求められてもよく、SINRとスペクトル効率との間のマッピングテーブルは、基地局の受信機の性能に応じた変換によって取得されてもよい。SINRが計算によって取得された後、スペクトル効率が、テーブルルックアップを実行することによって求められ得る。
【００７５】
S206．スペクトル効率ゲインに従って、波長分割多重化の無線リソーススケジューリングを実行する。
【００７６】
任意選択で、スペクトル効率ゲインが正の場合、波長分割多重化の無線リソーススケジューリングが実行され、または、スペクトル効率ゲインが負の場合、波長分割多重化の無線リソーススケジューリングは実行されなくてもよく、または、スペクトル効率ゲインが0の場合、波長分割多重化の無線リソーススケジューリングは実行されもよいし、あるいは実行されなくてもよい。これは、本発明のこの実施形態では限定されない。
【００７７】
具体的には、直交符号化時に、マルチビームセクタの複数のビームは、複数の物理チャネルと1対1に対応する。参照信号（Reference Signal、RS）に関して、参照信号は、エアインタフェースによってサウンディングされ得る論理ポートを示す。
【００７８】
直交符号化マッピングは、以下の方法で実行され得る。
【００７９】
【数９】
0006921974.tif 000010
【００８０】
ただし、Pnは、論理チャネルのポート番号を表し、n＝0，・・・，N−1であり、Nは、論理チャネルの数であり、Pmは、ビーム番号を表し、m＝0，・・・，M−1であり、
【００８１】
【数１０】
0006921974.tif 000011
【００８２】
は、マッピング行列であり、マッピング行列のすべての行の要素によって形成されるベクトルは、対直交であり、マッピング行列の各行に含まれる非ゼロ要素は、行に対応する論理チャネルグループに含まれる論理チャネルに対応する重み付け係数である。
【００８３】
さらに、直交符号化時、論理ポートの数が、複数のビームの数未満である場合、対の隣接ビームが、直交符号化を実行するために使用され、あるいは、論理ポートの数が、複数のビームの数以上である場合、対の隣接ビームが、直交符号化を実行するために使用されるか、またはマルチビーム結合直交符号化が実行される。
【００８４】
様々なシナリオに関して、詳細な説明は以下の通りである。
【００８５】
I．アンテナの受信／送信物理チャネルは、エアインタフェースビームと1対1に対応する。マルチビームセクタにおいて、複数のビームは、複数の物理チャネルに対応する。
【００８６】
（1）重み付けマッピング方法において、対の隣接ビームが、直交符号化を実行するために使用され得る。論理ポート情報
【００８７】
【数１１】
0006921974.tif 000012
【００８８】
に対して基地局は、ユニタリ行列1
【００８９】
【数１２】
0006921974.tif 000013
【００９０】
に基づいて重み付けマッピング処理
【００９１】
【数１３】
0006921974.tif 000014
【００９２】
を実行し、取得された情報を隣接する物理チャネル
【００９３】
【数１４】
0006921974.tif 000015
【００９４】
に送信し、
基地局は、ユニタリ行列2
【００９５】
【数１５】
0006921974.tif 000016
【００９６】
に基づいて重み付けマッピング処理
【００９７】
【数１６】
0006921974.tif 000017
【００９８】
を実行し、取得された情報を隣接する物理チャネル
【００９９】
【数１７】
0006921974.tif 000018
【０１００】
に送信し、
・・・（基地局は、最後の論理ポート情報が処理されるまでマッピングを順次実行し）、
基地局は、ユニタリ行列M−1
【０１０１】
【数１８】
0006921974.tif 000019
【０１０２】
に基づいて重み付けマッピング処理
【０１０３】
【数１９】
0006921974.tif 000020
【０１０４】
を実行し、取得された情報を隣接する物理チャネル
【０１０５】
【数２０】
0006921974.tif 000021
【０１０６】
に送信する。
【０１０７】
（2）論理ポートの総数が、複数のビームの数以上である場合、マルチビーム結合直交符号化も実行され得る。基地局は、論理ポート情報
【０１０８】
【数２１】
0006921974.tif 000022
【０１０９】
に対して直交行列
【０１１０】
【数２２】
0006921974.tif 000023
【０１１１】
重み付けマッピング処理
【０１１２】
【数２３】
0006921974.tif 000024
【０１１３】
を実行し、取得された情報を隣接する物理チャネル
【０１１４】
【数２４】
0006921974.tif 000025
【０１１５】
に送信し、
【０１１６】
【数２５】
0006921974.tif 000026
【０１１７】
の行ベクトルは、対直交であり、M≦Nである。
【０１１８】
II．別のシナリオでは、エアインタフェースビームが、アンテナの受信端および送信端での重み付けによって生成される。基地局は、M個のビームの信号
【０１１９】
【数２６】
0006921974.tif 000027
【０１２０】
に対して重み付けマッピング処理
【０１２１】
【数２７】
0006921974.tif 000028
【０１２２】
を実行し、ただし、
【０１２３】
【数２８】
0006921974.tif 000029
【０１２４】
は、ビームPmに対応する重み付けベクトルであり、取得された情報は、L個の物理チャネル
【０１２５】
【数２９】
0006921974.tif 000030
【０１２６】
に送信される。プロセス全体は、以下の式
【０１２７】
【数３０】
0006921974.tif 000031
【０１２８】
を使用して表される。
【０１２９】
したがって、論理ポートは、複数のビームにマッピングされ、次に、以下の方法で物理チャネルにマッピングされる。
【０１３０】
（1）重み付けマッピング方法において、対の隣接ビームが、直交符号化を実行するために使用され得る。論理ポート情報
【０１３１】
【数３１】
0006921974.tif 000032
【０１３２】
に対して、基地局は、ユニタリ行列1
【０１３３】
【数３２】
0006921974.tif 000033
【０１３４】
に基づいて重み付けマッピング処理
【０１３５】
【数３３】
0006921974.tif 000034
【０１３６】
を実行し、取得された情報を隣接マルチビーム
【０１３７】
【数３４】
0006921974.tif 000035
【０１３８】
情報として使用し、基地局は、
【０１３９】
【数３５】
0006921974.tif 000036
【０１４０】
を取得するために、ビーム重み付け値
【０１４１】
【数３６】
0006921974.tif 000037
【０１４２】
を使用してマルチビーム情報に対して重み付けを実行し、次に、取得された情報を物理チャネル
【０１４３】
【数３７】
0006921974.tif 000038
【０１４４】
に送信し、
基地局は、ユニタリ行列2
【０１４５】
【数３８】
0006921974.tif 000039
【０１４６】
に基づいて重み付けマッピング処理
【０１４７】
【数３９】
0006921974.tif 000040
【０１４８】
を実行し、取得された情報を隣接マルチビーム
【０１４９】
【数４０】
0006921974.tif 000041
【０１５０】
情報として使用し、基地局は、
【０１５１】
【数４１】
0006921974.tif 000042
【０１５２】
を取得するために、ビーム重み付け値
【０１５３】
【数４２】
0006921974.tif 000043
【０１５４】
を使用してマルチビーム情報に対して重み付けを実行し、次に、取得された情報を物理チャネル
【０１５５】
【数４３】
0006921974.tif 000044
【０１５６】
に送信し、
・・・（基地局は、最後の論理ポート情報が処理されるまでマッピングを順次実行し）、
基地局は、ユニタリ行列M−1
【０１５７】
【数４４】
0006921974.tif 000045
【０１５８】
に基づいて重み付けマッピング処理
【０１５９】
【数４５】
0006921974.tif 000046
【０１６０】
を実行し、取得された情報を隣接マルチビーム
【０１６１】
【数４６】
0006921974.tif 000047
【０１６２】
情報として使用し、基地局は、
【０１６３】
【数４７】
0006921974.tif 000048
【０１６４】
を取得するために、ビーム重み付け値
【０１６５】
【数４８】
0006921974.tif 000049
【０１６６】
を使用してマルチビーム情報に対して重み付けを実行し、次に、取得された情報を物理チャネル
【０１６７】
【数４９】
0006921974.tif 000050
【０１６８】
に送信する。
【０１６９】
（2）論理ポートの総数が、複数のビームの数以上である場合、マルチビーム結合直交符号化も実行され得る。基地局は、論理ポート情報
【０１７０】
【数５０】
0006921974.tif 000051
【０１７１】
に対して直交行列
【０１７２】
【数５１】
0006921974.tif 000052
【０１７３】
重み付けマッピング処理
【０１７４】
【数５２】
0006921974.tif 000053
【０１７５】
を実行し、ただし、
【０１７６】
【数５３】
0006921974.tif 000054
【０１７７】
の行ベクトルは対直交であり、M≦Nであり、また、取得された情報を隣接マルチビーム
【０１７８】
【数５４】
0006921974.tif 000055
【０１７９】
情報として使用し、基地局は、
【０１８０】
【数５５】
0006921974.tif 000056
【０１８１】
を取得するために、ビーム重み付け値
【０１８２】
【数５６】
0006921974.tif 000057
【０１８３】
を使用してマルチビーム情報に対して重み付けを実行し、次に、取得された情報を物理チャネル
【０１８４】
【数５７】
0006921974.tif 000058
【０１８５】
に送信する。
【０１８６】
III．別のシナリオでは、垂直次元エアインタフェースビームが、アンテナの受信端および送信端での重み付けによって生成される。基地局は、M個のビームの信号
【０１８７】
【数５８】
0006921974.tif 000059
【０１８８】
に対して重み付けマッピング処理
【０１８９】
【数５９】
0006921974.tif 000060
【０１９０】
を実行し、ただし、
【０１９１】
【数６０】
0006921974.tif 000061
【０１９２】
は、ビームPmに対応する重み付けベクトルであり、取得された情報は、L個の物理チャネル
【０１９３】
【数６１】
0006921974.tif 000062
【０１９４】
に送信される。プロセス全体は、以下の式
【０１９５】
【数６２】
0006921974.tif 000063
【０１９６】
を使用して表される。
【０１９７】
したがって、論理ポートは、複数のビームにマッピングされ、次に、以下の方法で物理チャネルにマッピングされる。
【０１９８】
（1）重み付けマッピング方法において、対の隣接ビームが、直交符号化を実行するために使用され得る。論理ポート情報
【０１９９】
【数６３】
0006921974.tif 000064
【０２００】
に対して、基地局は、ユニタリ行列1
【０２０１】
【数６４】
0006921974.tif 000065
【０２０２】
に基づいて重み付けマッピング処理
【０２０３】
【数６５】
0006921974.tif 000066
【０２０４】
を実行し、取得された情報を隣接マルチビーム
【０２０５】
【数６６】
0006921974.tif 000067
【０２０６】
情報として使用し、基地局は、
【０２０７】
【数６７】
0006921974.tif 000068
【０２０８】
を取得するために、ビーム重み付け値
【０２０９】
【数６８】
0006921974.tif 000069
【０２１０】
を使用してマルチビーム情報に対して重み付けを実行し、次に、取得された情報を物理チャネル
【０２１１】
【数６９】
0006921974.tif 000070
【０２１２】
に送信し、
基地局は、ユニタリ行列2
【０２１３】
【数７０】
0006921974.tif 000071
【０２１４】
に基づいて重み付けマッピング処理
【０２１５】
【数７１】
0006921974.tif 000072
【０２１６】
を実行し、取得された情報を隣接マルチビーム
【０２１７】
【数７２】
0006921974.tif 000073
【０２１８】
情報として使用し、基地局は、
【０２１９】
【数７３】
0006921974.tif 000074
【０２２０】
を取得するために、ビーム重み付け値
【０２２１】
【数７４】
0006921974.tif 000075
【０２２２】
を使用してマルチビーム情報に対して重み付けを実行し、次に、取得された情報を物理チャネル
【０２２３】
【数７５】
0006921974.tif 000076
【０２２４】
に送信し、
・・・（基地局は、最後の論理ポート情報が処理されるまでマッピングを順次実行し）、
基地局は、ユニタリ行列M−1
【０２２５】
【数７６】
0006921974.tif 000077
【０２２６】
に基づいて重み付けマッピング処理
【０２２７】
【数７７】
0006921974.tif 000078
【０２２８】
を実行し、取得された情報を隣接マルチビーム
【０２２９】
【数７８】
0006921974.tif 000079
【０２３０】
情報として使用し、基地局は、
【０２３１】
【数７９】
0006921974.tif 000080
【０２３２】
を取得するために、ビーム重み付け値
【０２３３】
【数８０】
0006921974.tif 000081
【０２３４】
を使用してマルチビーム情報に対して重み付けを実行し、次に、取得された情報を物理チャネル
【０２３５】
【数８１】
0006921974.tif 000082
【０２３６】
に送信する。
【０２３７】
（2）論理ポートの総数が、複数のビームの数以上である場合、マルチビーム結合直交符号化も実行され得る。基地局は、論理ポート情報
【０２３８】
【数８２】
0006921974.tif 000083
【０２３９】
に対して直交行列
【０２４０】
【数８３】
0006921974.tif 000084
【０２４１】
重み付けマッピング処理
【０２４２】
【数８４】
0006921974.tif 000085
【０２４３】
を実行し、ただし、
【０２４４】
【数８５】
0006921974.tif 000086
【０２４５】
の行ベクトルは対直交であり、M≦Nであり、また、取得された情報を隣接マルチビーム
【０２４６】
【数８６】
0006921974.tif 000087
【０２４７】
情報として使用し、基地局は、
【０２４８】
【数８７】
0006921974.tif 000088
【０２４９】
を取得するために、ビーム重み付け値
【０２５０】
【数８８】
0006921974.tif 000089
【０２５１】
を使用してマルチビーム情報に対して重み付けを実行し、次に、取得された情報を物理チャネル
【０２５２】
【数８９】
0006921974.tif 000090
【０２５３】
に送信する。
【０２５４】
この実施形態では、波長分割後に取得されるSINRおよびスペクトル効率ゲインの計算プロセスが、詳細に説明され、異なるシナリオにおける直交符号化マッピングが説明されている。直交符号化前処理は、複数のビームを使用して参照信号に対して実行され、端末フィードバックと、相反性に基づくマルチビーム測定の決定および補正とを参照して、ブロードキャスト参照信号に基づくMIMO多重化が実施され、これにより、マルチアンテナシステムの容量が大幅に改善され得、具体的には、現在制限されているブロードキャスト制御チャネルの状況が大幅に改善される。
【０２５５】
図3を参照すると、図3は、本発明の実施形態による基地局の構成の概略図である。この実施形態では、基地局は、
予め設定された行列に従って、ダウンリンク参照信号に対応する論理ポート情報に対して直交符号化を実行し、直交符号化後に取得される論理ポート情報を送信用の対応する物理チャネルにマッピングし、直交符号化後に取得される論理ポート情報が、直交ビーム成分を含む、ように構成される処理ユニット100と、
直交符号化後に取得される論理ポート情報を端末に送信するように構成される送信ユニット200と、
端末によってフィードバックされるチャネル品質インジケータ情報を受信し、チャネル品質インジケータ情報が、直交ビーム成分を含む論理ポート情報を測定することにより端末によって取得される、ように構成される受信ユニット300と
を含む。
【０２５６】
処理ユニット100は、波長分割多重化後に取得されるスペクトル効率ゲインを計算し、スペクトル効率ゲインに従って、波長分割多重化の無線リソーススケジューリングを実行するようにさらに構成される。
【０２５７】
任意選択で、処理ユニット100は、以下の方法で直交符号化マッピングを実行し、
【０２５８】
【数９０】
0006921974.tif 000091
【０２５９】
ただし、Pnは、論理チャネルのポート番号を表し、n＝0，・・・，N−1であり、Nは、論理チャネルの数であり、Pmは、ビーム番号を表し、m＝0，・・・，M−1であり、
【０２６０】
【数９１】
0006921974.tif 000092
【０２６１】
は、マッピング行列であり、マッピング行列のすべての行の要素によって形成されるベクトルは、対直交であり、マッピング行列の各行に含まれる非ゼロ要素は、行に対応する論理チャネルグループに含まれる論理チャネルに対応する重み付け係数である、
ように特に構成される。
【０２６２】
任意選択で、マルチビームセクタにおいて、各ビームは、1つの物理チャネルに対応し、論理ポートの数が複数のビームの数未満である場合、符号化ユニットは、直交符号化を実行するために対の隣接ビームを使用するように特に構成され、または論理ポートの数が複数のビームの数以上である場合、符号化ユニットは特に、直交符号化を実行するために対の隣接ビームを使用するように構成されるか、もしくはマルチビーム結合直交符号化を実行するように構成される。
【０２６３】
任意選択で、処理ユニット100は、
チャネル品質インジケータ情報を受信し、チャネル品質インジケータ情報を、波長分割多重化前に取得される信号対干渉雑音比の線形値yに量子化し、
マルチビーム受信レベルを取得するために、端末によって送信されるアップリンク参照信号またはサウンディング参照信号を受信して測定し、最高レベルを有するビームが、サービスビームであり、物理的に隣接するビームが、干渉ビームであり、サービスビームと干渉ビームとの間の干渉の程度が、ビーム分離であり、ビーム分離の線形値x＝サービスビームの受信レベル／干渉ビームの受信レベルであり、
以下の式に従って、波長分割後に取得される信号対干渉雑音比zを計算し：
z＝（x＊y）／（y＋x＋1）、
波長分割多重化前に取得されるスペクトル効率および波長分割多重化後に取得されるスペクトル効率を取得するために信号対干渉雑音比とスペクトル効率との間のマッピングテーブルに従ってテーブルルックアップを実行し、
スペクトル効率ゲインを取得するために波長分割多重化後に取得されるスペクトル効率から波長分割多重化前に取得されるスペクトル効率を差し引く
ように特に構成される。
【０２６４】
任意選択で、処理ユニットは、
スペクトル効率ゲインが正の場合に、波長分割多重化の無線リソーススケジューリングを実行する
ように特に構成される。
【０２６５】
処理ユニット100、送信ユニット200、および受信ユニット300は、個別に存在してもよく、または一体的に配置されてもよいことに留意されたい。前述の基地局の実施形態において、処理ユニット100、送信ユニット200、または受信ユニット300は、ハードウェアの形態で基地局のプロセッサから独立して個別に配置され、マイクロプロセッサの形態で配置されてもよく、またはハードウェアの形態で基地局のプロセッサに組み込まれてもよく、または基地局のプロセッサが前述の処理ユニット100、送信ユニット200、および受信ユニット300に対応する動作を呼び出して実行するようにソフトウェアの形態で基地局のメモリに記憶されてもよい。
【０２６６】
例えば、本発明における基地局の実施形態（図3に示されている実施形態）において、処理ユニット100は、基地局のプロセッサであってもよく、送信ユニット200および受信ユニット300の機能は、プロセッサに組み込まれてもよく、またはプロセッサから独立して個別に配置されてもよく、またはプロセッサが送信ユニット200および受信ユニット300の機能を呼び出して実施するようにソフトウェアの形態でメモリに記憶されてもよい。前述のプロセッサは、中央処理装置（CPU）、マイクロプロセッサ、またはシングルチップマイクロコンピュータなどであってもよい。
【０２６７】
図4を参照すると、図4は、本発明の実施形態による別の基地局の構成の概略図である。本発明のこの実施形態では、基地局は、
プロセッサ1101、トランシーバ1102、メモリ1103、およびバス1104を含み、プロセッサ1101、メモリ1103、およびトランシーバ1102は、相互通信を遂行するためにバス1104を使用して接続され、トランシーバ1102は、端末と通信するために、信号を送信および受信するように構成される。メモリ1103は、プログラムコードのセットを記憶するように構成され、プロセッサ1101は、以下の動作、すなわち、
予め設定された行列に従って、ダウンリンク参照信号に対応する論理ポート情報に対して直交符号化を実行し、直交符号化後に取得される論理ポート情報を送信用の対応する物理チャネルにマッピングする動作であって、直交符号化後に取得される論理ポート情報が、直交ビーム成分を含む、動作と、
端末によってフィードバックされるチャネル品質インジケータ情報を受信し、波長分割多重化後に取得されるスペクトル効率ゲインを計算する動作であって、チャネル品質インジケータ情報が、直交ビーム成分を含む論理ポート情報を測定することにより端末によって取得される、動作と、
スペクトル効率ゲインに従って、波長分割多重化の無線リソーススケジューリングを実行する動作と
を実行するために、メモリ1103に記憶されたプログラムコードを呼び出すように構成される。
【０２６８】
任意選択で、プロセッサ1101は、以下の方法で直交符号化マッピングを実行し、
【０２６９】
【数９２】
0006921974.tif 000093
【０２７０】
ただし、Pnは、論理チャネルのポート番号を表し、n＝0，・・・，N−1であり、Nは、論理チャネルの数であり、Pmは、ビーム番号を表し、m＝0，・・・，M−1であり、
【０２７１】
【数９３】
0006921974.tif 000094
【０２７２】
は、マッピング行列であり、マッピング行列のすべての行の要素によって形成されるベクトルは、対直交であり、マッピング行列の各行に含まれる非ゼロ要素は、行に対応する論理チャネルグループに含まれる論理チャネルに対応する重み付け係数である、
ように特に構成される。
【０２７３】
任意選択で、マルチビームセクタにおいて、各ビームは、1つの物理チャネルに対応し、論理ポートの数が複数のビームの数未満である場合、プロセッサ1101は、直交符号化を実行するために対の隣接ビームを使用するように特に構成され、または論理ポートの数が複数のビームの数以上である場合、プロセッサ1101は特に、直交符号化を実行するために対の隣接ビームを使用するように構成されるか、もしくはマルチビーム結合直交符号化を実行するように構成される。
【０２７４】
任意選択で、プロセッサ1101は、
チャネル品質インジケータ情報を受信し、チャネル品質インジケータ情報を、波長分割多重化前に取得される信号対干渉雑音比の線形値yに量子化し、
マルチビーム受信レベルを取得するために、端末によって送信されるアップリンク参照信号またはサウンディング参照信号を受信して測定し、最高レベルを有するビームが、サービスビームであり、物理的に隣接するビームが、干渉ビームであり、サービスビームと干渉ビームとの間の干渉の程度が、ビーム分離であり、ビーム分離の線形値x＝サービスビームの受信レベル／干渉ビームの受信レベルであり、
以下の式に従って、波長分割後に取得される信号対干渉雑音比zを計算し：
z＝（x＊y）／（y＋x＋1）、
波長分割多重化前に取得されるスペクトル効率および波長分割多重化後に取得されるスペクトル効率を取得するために信号対干渉雑音比とスペクトル効率との間のマッピングテーブルに従ってテーブルルックアップを実行し、
スペクトル効率ゲインを取得するために波長分割多重化後に取得されるスペクトル効率から波長分割多重化前に取得されるスペクトル効率を差し引く
ように特に構成される。
【０２７５】
ここでのプロセッサ1101は、1つのプロセッサであってもよく、または複数の処理要素の総称であってもよいことに留意されたい。例えば、プロセッサは、中央処理装置（Central Processing Unit、CPU）であってもよく、または特定用途向け集積回路（Application Specific Integrated Circuit、ASIC）であってもよく、または本発明の実施形態を実施する1つ以上の集積回路として構成されてもよい。
【０２７６】
メモリ1103は、記憶装置であってもよく、または複数の記憶要素の総称であってもよく、またアクセスネットワークデバイスの動作に必要とされる実行可能プログラムコードまたはパラメータおよびデータなどを記憶するように構成される。さらに、メモリ1103は、ランダムアクセスメモリ（RAM）を含んでもよく、不揮発性メモリ（non−volatile memory）、例えばディスクメモリまたはフラッシュメモリ（Flash）を含んでもよい。
【０２７７】
バス1104は、アドレスバス、データバス、および制御バスなどに分類され得る。表示を簡単にするために、バスは、図4では1本の太線のみを使用して表されているが、これは、1つのバスまたは1種類のバスしか存在しないことを示すものではない。
【０２７８】
この実施形態で説明されている基地局は、図1および図2を参照して本発明に関して説明された方法の実施形態の手順の一部または全部を実施し、図3を参照して本発明に関して説明された装置の実施形態の機能の一部または全部を実行するように構成されてもよい。ここでは詳細は再度説明されない。
【０２７９】
図5を参照すると、図5は、本発明によるさらに別のスケジューリング方法の実施形態の概略フローチャートである。この実施形態において、この方法は、以下のステップを含む。
【０２８０】
S501．端末は、基地局によって送信された論理ポート情報を受信する。
【０２８１】
その場合、直交符号化が、基地局によって、ダウンリンク参照信号に対応する論理ポート情報に対して実行され、直交符号化後に取得される論理ポート情報は、対応する物理チャネルにマッピングされて端末に送信され、論理ポート情報は、直交ビーム成分を含む。
【０２８２】
S502．論理ポート情報を測定し、計算によってチャネル品質インジケータ情報を取得する。
【０２８３】
S503．チャネル品質インジケータ情報を基地局にフィードバックする。
【０２８４】
チャネル品質インジケータ情報を受信した後、基地局は、情報に従ってスペクトル効率ゲインを計算し、最終的に、波長分割多重化の無線リソーススケジューリングを実行するかどうかを決定し得る。
【０２８５】
特定のプロセスについては、基地局側の方法の実施形態の説明を参照されたい。ここでは詳細は再度説明されない。
【０２８６】
図6を参照すると、図6は、本発明による端末の実施形態の構成の概略図である。この実施形態では、端末は、
基地局によって送信される論理ポート情報を受信し、直交符号化が、基地局によって、ダウンリンク参照信号に対応する論理ポート情報に対して実行され、直交符号化後に取得される論理ポート情報が、対応する物理チャネルにマッピングされて端末に送信され、論理ポート情報が、直交ビーム成分を含む、ように構成される受信ユニット400と、
論理ポート情報を測定し、計算によってチャネル品質インジケータ情報を取得するように構成される処理ユニット500と、
チャネル品質インジケータ情報を基地局にフィードバックするように構成される送信ユニット600と
を含む。
【０２８７】
図7を参照すると、図7は、本発明による別の端末の実施形態の構成の概略図である。この実施形態では、端末は、
プロセッサ2101、メモリ2103、トランシーバ2102、およびバス2104を含み、プロセッサ2101、メモリ2103、トランシーバ2102は、相互通信を遂行するためにバス2104を使用して接続され、トランシーバ2102は、信号を送信および受信するように構成され、メモリ2103は、プログラムコードのセットを記憶するように構成され、プロセッサ2101は、以下の動作、すなわち、
基地局によって送信される論理ポート情報を受信する動作であって、直交符号化が、基地局によって、ダウンリンク参照信号に対応する論理ポート情報に対して実行され、直交符号化後に取得される論理ポート情報が、対応する物理チャネルにマッピングされて端末に送信され、論理ポート情報が、直交ビーム成分を含む、動作と、
論理ポート情報を測定し、計算によってチャネル品質インジケータ情報を取得する動作と、
チャネル品質インジケータ情報を基地局にフィードバックする動作と
を実行するために、メモリ2103に記憶されたプログラムコードを呼び出すように構成される。
【０２８８】
ここでのプロセッサ2101は、1つのプロセッサであってもよく、または複数の処理要素の総称であってもよいことに留意されたい。例えば、プロセッサは、中央処理装置（Central Processing Unit、CPU）であってもよく、または特定用途向け集積回路（Application Specific Integrated Circuit、ASIC）であってもよく、または本発明の実施形態を実施する1つ以上の集積回路として構成されてもよい。
【０２８９】
メモリ2103は、記憶装置であってもよく、または複数の記憶要素の総称であってもよく、またアクセスネットワークデバイスの動作に必要とされる実行可能プログラムコードまたはパラメータおよびデータなどを記憶するように構成される。さらに、メモリ2103は、ランダムアクセスメモリ（RAM）を含んでもよく、不揮発性メモリ（non−volatile memory）、例えばディスクメモリまたはフラッシュメモリ（Flash）を含んでもよい。
【０２９０】
バス2104は、アドレスバス、データバス、および制御バスなどに分類され得る。表示を簡単にするために、バスは、図7では1本の太線のみを使用して表されているが、これは、1つのバスまたは1種類のバスしか存在しないことを示すものではない。
【０２９１】
この実施形態で説明されている端末は、図5を参照して本発明に関して説明された方法の実施形態の手順の一部または全部を実施し、図6を参照して本発明に関して説明された装置の実施形態の機能の一部または全部を実行するように構成されてもよい。ここでは詳細は再度説明されない。
【０２９２】
1つ以上の実施形態において、説明されている機能は、ハードウェア、ソフトウェア、ファームウェア、またはこれらの任意の組み合わせによって実施されてもよい。機能がソフトウェアによって実施される場合、機能は、1つ以上の命令もしくはコードとしてコンピュータ可読媒体に記憶されるか、またはコンピュータ可読媒体によって送信されてもよく、ハードウェアに基づいて処理ユニットによって実行される。コンピュータ可読媒体は、コンピュータ可読記憶媒体（データ記憶媒体などの有形媒体に対応する）または通信媒体を含んでもよく、通信媒体は、例えば、通信プロトコルに従ってある場所から別の場所に、コンピュータプログラムを使用してデータを送信することを促進する任意の媒体を含む。このように、コンピュータ可読媒体は、一般的に、（1）非一時的な有形のコンピュータ可読記憶媒体または（2）信号もしくはキャリアなどの通信媒体に対応し得る。データ記憶媒体は、本発明に関して説明されている技術において利用可能な媒体を実施するための命令、コード、および／またはデータ構造を検索するために1つ以上のコンピュータまたは1つ以上のプロセッサによってアクセスされ得る。コンピュータプログラム製品は、コンピュータ可読媒体を含んでもよい。
【０２９３】
限定としてではなく例として、一部のコンピュータ可読記憶媒体は、RAM、ROM、EEPROM、CD−ROM、別の光ディスク記憶装置もしくは磁気ディスク記憶装置、別の磁気記憶装置、フラッシュメモリ、または命令もしくはデータ構造の形式で必要なプログラムコードを記憶し得、コンピュータによってアクセスされ得る任意の他の媒体を含み得る。さらに、接続は、適切にコンピュータ可読媒体と呼ばれ得る。例えば、命令が、同軸ケーブル、光ケーブル、ツイストペア、デジタル加入者線（DSL）、またはワイヤレス技術（例えば、赤外線、無線、またはマイクロ波）を使用してウェブサイト、サーバ、または別の遠隔ソースから送信される場合、同軸ケーブル、光ケーブル、ツイストペア、DSL、またはワイヤレス技術（例えば、赤外線、無線、またはマイクロ波）は、媒体の規定に含まれる。しかしながら、コンピュータ可読記憶媒体およびデータ記憶媒体は、接続、キャリア、信号、または別の一時的な媒体を含み得ず、非一時的な有形の記憶媒体であることを理解されたい。本明細書で使用されるディスクおよび光ディスクは、コンパクトディスク（CD）、レーザディスク、光ディスク、デジタル多用途ディスク（DVD）、フロッピーディスク、およびブルーレイディスクを含み、ディスクは、一般的に磁気的にデータをコピーし、光ディスクは、レーザを使用して光学的にデータをコピーする。前述の対象の組み合わせは、コンピュータ可読媒体の範囲にさらに含まれるものとする。
【０２９４】
命令は、1つ以上のデジタル信号プロセッサ（DSP）、汎用マイクロプロセッサ、特定用途向け集積回路（ASIC）、フィールドプログラマブルゲートアレイ（FPGA）、または同等の集積回路もしくはディスクリート論理回路などの1つ以上のプロセッサによって実行されてもよい。したがって、本明細書で使用される用語「プロセッサ」は、前述の構造、または本明細書で説明されている技術の実施に適用され得る任意の他の構造を指し得る。さらに、一部の態様では、本明細書で説明されている機能は、符号化および復号化のために構成された専用ハードウェアおよび／またはソフトウェアモジュールで提供されてもよく、または組み合わされた符号器−復号器に組み込まれてもよい。さらに、これらの技術は、1つ以上の回路または論理要素で完全に実施されてもよい。
【０２９５】
本発明における技術は、複数の装置またはデバイスによって広く実施され得る。装置またはデバイスは、無線ハンドセット、集積回路（IC）、またはICセット（例えばチップセット）を含む。本発明では、様々なコンポーネント、モジュール、およびユニットは、開示されている技術を実施するように構成される装置の機能を強調するために説明されており、機能は、必ずしも異なるハードウェアユニットによって実施される必要はない。正確には、前述の内容において説明されているように、様々なユニットは、符号器−復号器ハードウェアユニットに組み合わされてもよく、または一連の相互動作可能なハードウェアユニット（前述の内容において説明されている1つ以上のプロセッサを含む）ならびに適切なソフトウェアおよび／またはファームウェアによって提供されてもよい。
【０２９６】
本明細書全体で言及されている「一実施形態」または「実施形態」は、その実施形態に関連する特定の特徴、構造、または特性が本発明の少なくとも1つの実施形態に含まれることを意味するわけではないことを理解されたい。したがって、本明細書の全体にわたって現れる「一実施形態において」または「実施形態において」は、必ずしも同じ実施形態を指していない。さらに、これらの特定の特徴、構造、または特性は、任意の適切な方法を使用して1つ以上の実施形態において組み合わされてもよい。
【０２９７】
前述のプロセスのシーケンス番号は、本発明の様々な実施形態における実行順序を意味するものではないことを理解されたい。プロセスの実行順序は、プロセスの機能および内部論理に従って決定されるべきであり、本発明の実施形態の実施プロセスに対する限定として解釈されるべきではない。
【０２９８】
さらに、用語「システム」および「ネットワーク」は、本明細書では交換可能に使用され得る。本明細書における用語「および／または」は、関連する対象を説明するための関連性の関係のみを説明し、3つの関係が存在し得ることを表す。例えば、Aおよび／またはBは、以下の3つのケース、すなわち、Aのみが存在するケース、AおよびBの両方が存在するケース、Bのみが存在するケースを表し得る。さらに、本明細書における記号「／」は、一般的に、関連する対象間の「または」関係を示す。
【０２９９】
本出願の実施形態において、「Aに対応するB」は、BがAに関連し、BがAに従って決定され得ることを示すことを理解されたい。しかしながら、Bに従ってAを決定することは、BがAのみに従って決定されることを意味せず、すなわち、Bはまた、Aおよび／または他の情報に従って決定され得ることをさらに理解されたい。
【０３００】
当業者は、本明細書に開示されている実施形態で説明されている例との組み合わせにおいて、ユニットおよびアルゴリズムステップが、電子ハードウェア、コンピュータソフトウェア、またはこれらの組み合わせによって実施され得ることを認識し得る。ハードウェアとソフトウェアとの互換性を明確に説明するために、前述の内容は、機能に応じて各例の構成およびステップを一般的に説明している。機能がハードウェアとソフトウェアのどちらによって実行されるかは、技術的解決策の特定の用途および設計制約条件に依存する。当業者は、特定の用途ごとに、説明されている機能を実施するために異なる方法を使用し得るが、その実施は本発明の範囲を超えると考えられるべきではない。
【０３０１】
簡便かつ簡単な説明のために、前述のシステム、装置、およびユニットの詳細な動作プロセスについて、前述の方法の実施形態の対応するプロセスへの参照がなされ得、ここでは詳細が再度説明されていないことが当業者によって明確に理解され得る。
【０３０２】
本出願で提供されているいくつかの実施形態において、開示されているシステム、装置、および方法が他の方法で実施され得ることを理解されたい。例えば、説明されている装置の実施形態は例に過ぎない。例えば、ユニットの分割は、論理的な機能の分割に過ぎず、実際の実施態様では他の分割であってもよい。例えば、複数のユニットまたはコンポーネントが、別のシステムに組み合わされるか、もしくは一体化されてもよく、または一部の特徴が、無視されるか、もしくは実行されなくてもよい。さらに、提示または叙述された相互結合または直接結合または通信接続は、いくつかのインタフェース、装置、またはユニット間の間接結合または通信接続であってもよく、電気的な、機械的な、または他の形態で実施されてもよい。
【０３０３】
別々の部分として説明されているユニットは、物理的に別々であってもなくてもよく、ユニットとして提示されている部分は、物理的なユニットであってもなくてもよく、1つの位置に配置されても、複数のネットワークユニットに分散されてもよい。ユニットの一部または全部は、実施形態の解決策の目的を達成するために実際の必要に応じて選択されてもよい。
【０３０４】
さらに、本発明の実施形態における機能ユニットは、1つの処理ユニットに一体化されてもよく、またはこれらのユニットのそれぞれは、物理的に単独で存在してもよく、または2つ以上のユニットが、1つのユニットに一体化される。
【０３０５】
前述の説明は、本発明の特定の実施態様に過ぎず、本発明の保護範囲を限定することを意図されていない。本発明で開示されている技術的範囲内で当業者によって容易に考え出されるあらゆる変形または置換は、本発明の保護範囲内に入るものとする。したがって、本発明の保護範囲は、特許請求の範囲の保護範囲に従うものとする。
【符号の説明】
【０３０６】
100  処理ユニット
200  送信ユニット
300  受信ユニット
400  受信ユニット
500  処理ユニット
600  送信ユニット
1101  プロセッサ
1102  トランシーバ
1103  メモリ
1104  バス
2101  プロセッサ
2102  トランシーバ
2103  メモリ
2104  バス
【図１】
0006921974.tif 000101
【図２】
0006921974.tif 000102
【図３】
0006921974.tif 000103
【図４】
0006921974.tif 000104
【図５】
0006921974.tif 000105
【図６】
0006921974.tif 000106
【図７】
0006921974.tif 000107